(57)【特許請求の範囲】
【請求項１】
光源と、当該光源によって射出された射出光を分光する分光手段と、
画像を表示可能な投射光に前記分光された各射出光を変調すると共に当該投射光をスクリーンに投射して当該画像をそれぞれ表示可能に構成された複数の変調手段とを備えた表示装置であって、
前記分光手段は、前記変調手段にそれぞれ対応して設けられた複数の反射板を備え、
当該各反射板は、前記光源によって射出された前記射出光の光路に配置されると共に、前記射出光の一部を前記対応する変調手段に向けて反射させる反射部と、前記光源に対して離間する側に配置されている他の反射板に前記射出光の他の一部を通過させる光通過部とを一体化して構成され、かつ前記反射部と前記光通過部との面積比が当該各反射板毎に互いに異なるように構成されている表示装置。
【請求項２】
光源と、当該光源によって射出された射出光を分光する分光手段と、
画像を表示可能な投射光に前記分光された各射出光を変調すると共に当該投射光をスクリーンに投射して当該画像をそれぞれ表示可能に構成された複数の変調手段とを備えた表示装置であって、
前記分光手段は、前記各変調手段にそれぞれ対応して設けられて前記射出光を当該各変調手段に向けてそれぞれ反射する複数の固定ミラーと、前記光源によって射出された前記射出光の光路に配置されると共に所定の時間間隔で角度を切り替えることによって当該射出光を前記各固定ミラーに向けて順次反射する可動式ミラーとを備えて構成されている表示装置。
【請求項３】
請求項１または２記載の表示装置と、前記スクリーンをそれぞれ有する複数の遊技機とを備えて構成されている遊技機システム。
【発明の詳細な説明】
【０００１】
【発明の属する技術分野】
本発明は、スクリーンに投射光を投射して画像を表示可能に構成された表示装置および遊技機システムに関するものである。
【０００２】
【従来の技術】
この種の表示装置を備えたパチンコ台（遊技機）として、実開平７−２４３８１号公報には、リアプロジェクションタイプの投影機（表示装置、４）を用いてフロントパネル（１）の透光性光画像表示部（２）に遊技用画像を投影（投射）可能なパチンコ（パチンコ台）が開示されている。この場合、投影機は、液晶表示素子および光源ランプなどを備えて構成され、投影機とフロントパネルとの間には、投影レンズ（５）が配設されている。このパチンコ台では、まず、投影機が、光源ランプによって射出された射出光を液晶表示素子を通過させることによって光画像（投射光）に変調して射出する。次に、投影レンズが、投影機によって射出された投射光を拡大してフロントパネルの透光性光画像表示部に投射する。これにより、透光性光画像表示部に遊技用画像が投射表示される。
【０００３】
【特許文献１】
実開平７−２４３８１号公報（第４−５頁、第１図）
【０００４】
【発明が解決しようとする課題】
ところが、この従来の表示装置およびパチンコ台には、以下の問題点がある。すなわち、このパチンコ台では、表示装置に内蔵された光源ランプによって射出された射出光を用いて各種画像をフロントパネルに投射表示している。この場合、この光源ランプは、点灯時に多量の熱を発生する。このため、このパチンコ台では、発生した熱による制御装置などへの影響を回避するため、例えば放熱ファンなどの放熱装置を設けて発生した熱をパチンコ台の外部へ放出する必要がある。一方、パチンコホールでは、一般的に、複数のパチンコ台をいわゆる「島」状態（並設した複数のパチンコ台の背面側にさらに背中合わせで複数のパチンコ台を並設した状態）で設置している。このため、各パチンコ台から放出された熱によってパチンコ台の「島」内部に熱が籠もりパチンコ台の信頼性低下を招いたり、パチンコホールの環境悪化を招くおそれがある。また、このパチンコ台では、光源ランプおよび放熱装置を個別に備えているため、これらの部品やその取付費用に起因してパチンコ台の価格が高騰するという問題点もある。さらに、この光源ランプは、遊技中のランプ切れを防止するために定期的に交換される。この場合、このパチンコ台では、光源ランプが表示装置に内蔵されているため、交換作業が煩雑で長時間を要するという問題点もある。
【０００５】
本発明は、かかる問題点に鑑みてなされたものであり、光源による熱の発生を低減し得る表示装置および遊技機システムを提供することを主目的とする。また、安価に構成でき、しかも光源の交換時間を短縮し得る遊技機システムを提供することを他の目的とする。
【０００６】
【課題を解決するための手段】
上記目的を達成すべく本発明に係る表示装置は、光源と、当該光源によって射出された射出光を分光する分光手段と、画像を表示可能な投射光に前記分光された各射出光を変調すると共に当該投射光をスクリーンに投射して当該画像をそれぞれ表示可能に構成された複数の変調手段とを備えた表示装置であって、前記分光手段は、前記変調手段にそれぞれ対応して設けられた複数の反射板を備え、当該各反射板は、前記光源によって射出された前記射出光の光路に配置されると共に、前記射出光の一部を前記対応する変調手段に向けて反射させる反射部と、前記光源に対して離間する側に配置されている他の反射板に前記射出光の他の一部を通過させる光通過部とを一体化して構成され、かつ前記反射部と前記光通過部との面積比が当該各反射板毎に互いに異なるように構成されている。
【０００７】
また、本発明に係る表示装置は、光源と、当該光源によって射出された射出光を分光する分光手段と、画像を表示可能な投射光に前記分光された各射出光を変調すると共に当該投射光をスクリーンに投射して当該画像をそれぞれ表示可能に構成された複数の変調手段とを備えた表示装置であって、前記分光手段は、前記各変調手段にそれぞれ対応して設けられて前記射出光を当該各変調手段に向けてそれぞれ反射する複数の固定ミラーと、前記光源によって射出された前記射出光の光路に配置されると共に所定の時間間隔で角度を切り替えることによって当該射出光を前記各固定ミラーに向けて順次反射する可動式ミラーとを備えて構成されている。
【０００８】
また、本発明に係る遊技機システムは、上記の表示装置と、前記スクリーンをそれぞれ有する複数の遊技機とを備えて構成されている。
【０００９】
この表示装置および遊技機システムによれば、光源と、光源によって射出された射出光を分光する分光手段と、分光された射出光を投射光に変調すると共に変調した投射光をスクリーンに投射して画像を表示可能な変調手段とを備えたことにより、１つの光源を使用して複数の遊技機に画像を表示させることができるため、遊技機システム全体としての光源の数を少なくすることができる結果、光源によって発生される熱量を全体として減少させることができる。また、各遊技機において光源および放熱装置の個別的な取付けを不要にできるため、遊技機システムを安価に構成することができる。さらに、遊技機システム全体としての光源の数を少なくすることができるため、その分だけ光源の交換時間を短縮することができる。また、各変調手段に向けて射出光をそれぞれ反射する複数の反射板を備えて分光手段を構成したことにより、簡易な構成で射出光を分光することができるため、表示装置を小型化することができる。さらに、射出光の一部を反射させる反射部と、射出光の一部を通過させる光通過部とを一体化して各反射板を構成し、かつ反射部と光通過部との面積比を各反射板毎に互いに異なるように構成したことにより、各変調手段に対してそれぞれ１枚の反射板で射出光を分光して反射させることができる。
【００１０】
また、この表示装置および遊技機システムによれば、光源と、分光手段と、変調手段とを備え、各変調手段にそれぞれ対応して設けられた複数の固定ミラーと、光源によって射出された射出光を各固定ミラーに向けて順次反射する可動式ミラーとを備えて分光手段を構成したことにより、１つの光源を使用して複数の遊技機に画像を表示させることができるため、遊技機システム全体としての光源の数を少なくすることができる結果、光源によって発生される熱量を全体として減少させることができる。また、各遊技機において光源および放熱装置の個別的な取付けを不要にできるため、遊技機システムを安価に構成することができる。さらに、遊技機システム全体としての光源の数を少なくすることができるため、その分だけ光源の交換時間を短縮することができる。
【００１１】
【発明の実施の形態】
以下、添付図面を参照して、本発明に係る表示装置および遊技機システムの好適な実施の形態について説明する。
【００１２】
最初に、パチンコシステムＳ１の構成について、図面を参照して説明する。パチンコシステム（遊技機システム）Ｓ１は、図１に示すように、並設されたＮ台（一例として４台とする）のパチンコ台（遊技機）１ａ〜１ｄ（以下、区別しないときは「パチンコ台１」ともいう。）と、各パチンコ台１の裏面側（背面側）に配設されて各パチンコ台１の各遊技盤１１にその背面から投射して画像を表示する表示装置５とを備えて構成されている。パチンコ台１は、それぞれ独立して遊技可能なパチンコ台であって、図２に示すように、表示装置５によって投射される表示画像Ｇ（例えば、同図に示す大地、富士山および数字の「１２３」）を遊技盤１１の盤面に表示可能に構成されている。具体的には、このパチンコ台１は、図３に示すように、遊技機構２、主制御部３および主記憶部４を備えて構成されている。
【００１３】
遊技機構２は、図４に示すように、遊技盤１１、スクリーンフィルム（スクリーン）１２、投射ミラー１３およびフレネルレンズ１４を備えている。遊技盤１１は、全体として光透過性樹脂で形成され、表面に複数の釘や役物などが固定されて構成されている。スクリーンフィルム１２は、遊技盤１１の裏面に貼付されている。このスクリーンフィルム１２は、一例として、プロジェクタユニット４１によって射出された投射光Ｌ２を受光して拡散させることにより、表示画像Ｇを結像する。投射ミラー１３は、遊技盤１１の裏面側に配設され、表示装置５の後述するプロジェクタユニット４１によって射出された投射光Ｌ２をスクリーンフィルム１２に向けて反射する。フレネルレンズ１４は、投射ミラー１３およびスクリーンフィルム１２の間に配設され、プロジェクタユニット４１によって射出された投射光Ｌ２を平行光（広義の意味の平行光）に変換してスクリーンフィルム１２に投射させる。主制御部３は、パチンコ台１を統括的に制御すると共に、遊技状態に対応した各種コマンドを表示装置５に出力して各種画像表示処理を実行させることによって各種画像を表示させる。主記憶部４は、主制御部３の動作プログラムなどを記憶する。
【００１４】
表示装置５は、図１に示すように、光源ユニット２１、分光ミラー（反射板）３１ａ〜３１ｄ（以下、区別しないときは「分光ミラー３１」ともいう。）およびプロジェクタユニット４１ａ〜４１ｄ（区別しないときは「プロジェクタユニット４１」ともいう。）を備えて構成されている。光源ユニット２１は、例えば、表示装置５の一端側（図１では左側）に配置されて分光ミラー３１ａに向けて投射光（射出光）Ｌ１を射出する。具体的には、光源ユニット２１は、発光部と半球状に形成された反射鏡とが一体化された光源ランプ（光源）２２、光源ランプ２２によって発光された光を集光してビーム状の投射光Ｌ１を射出する集光レンズ群２３、および光源ランプ２２によって発生された熱を放熱する放熱ファン２４を備えて構成されている。また、光源ユニット２１では、メンテナンス用の扉２５が側面に配設されており、この扉２５を開けて光源ランプ２２を容易に交換可能となっている。
【００１５】
分光ミラー（反射板）３１ａ〜３１ｄは、本発明における分光手段を構成し、各プロジェクタユニット４１に対応して設けられている。具体的には、各分光ミラー３１ａ〜３１ｄは、例えば図５に示すように、全体として長方形の板状に形成され、光源ユニット２１によって射出される投射光Ｌ１を反射可能に構成されている。この場合、各分光ミラー３１ａ〜３１ｃは、投射光Ｌ１の一部を反射させる反射部（同図に示す斜線の部分）と、光源ランプ２２に対して離間する側に配置されている他の分光ミラー３１に投射光Ｌ１の他の一部を通過させる透過部（光通過部）とを一体化してそれぞれ構成されている。また、各分光ミラー３１ａ〜３１ｃは、各々の反射部と透過部との面積比を各分光ミラー３１ａ〜３１ｃ毎に異ならせて構成されている。具体的には、例えば、同図に示すように、分光ミラー３１ａは、全体の３／４に相当する透過部の上側に全体の１／４に相当する反射部が形成されて構成され、分光ミラー３１ｂは、全体の１／２に相当する透過部の上側に全体の１／２に相当する反射部が形成されて構成され、分光ミラー３１ｃは、全体の１／４に相当する透過部の上側に全体の３／４に相当する反射部が形成されて構成されている。
【００１６】
さらに、各分光ミラー３１ａ〜３１ｄは、図１に示すように、投射光Ｌ１の光路に対して例えば４５度傾斜した状態でその光路上に配列されている。この構成により、各分光ミラー３１ａ〜３１ｄは、同図に示すように、投射光Ｌ１を１／４ずつ分光して各プロジェクタユニット４１に向けてそれぞれ反射する。この場合、透過部の材質としては、ガラスや光透過性樹脂などを採用することができる。また、透過部は特に必要ではなく、反射部のみからなるミラーをフレームに固定した構成であってもよい。なお、本発明における分光は、広義の分光を意味するものであり、光をスペクトルに分解する概念ではない。具体的には、本発明のおける分光は、例えば投射光Ｌ１を４箇所に分配することを意味する。
【００１７】
プロジェクタユニット４１は、図３に示すように、変調部（変調手段）４２、投射レンズ４３、表示制御部４４、ＲＡＭ４５、表示手順データ記憶部４６、ＶＲＡＭ４７および図柄データ記憶部４８を備えて構成されている。この場合、プロジェクタユニット４１は、図４に示すように、パチンコ台１における投射ミラー１３の下側の位置に配設されている。変調部４２は、一例として、液晶パネル、入射側偏光板および射出側偏光板を備えた液晶ライトバルブを備えて構成されている。この場合、変調部４２は、表示制御部４４によって出力された表示用画像データＤｇに基づいて、分光ミラー３１によって反射された投射光Ｌ１（白色光）を例えば図２に示す表示画像Ｇを表示可能な画像投射用の投射光Ｌ２（表示画像Ｇに応じた陰影や着色を施した光）に変調して射出する。投射レンズ４３は、変調部４２と一体化されて構成され、変調部４２によって射出された投射光Ｌ２を拡大して投射ミラー１３に向けて射出する。
【００１８】
表示制御部４４は、画像表示専用の制御部であって、主制御部３によって出力された各種コマンドに従って各種画像処理を実行することにより、例えば表示画像Ｇを表示させるための表示用画像データＤｇを生成する。ＲＡＭ４５は、表示制御部４４によって生成された各種データを一時的に記憶する。表示手順データ記憶部４６は、各画像に使用される図柄の指定や各画像を静止表示または移動表示させる際の表示画像Ｇにおける表示位置およびサイズなどが記述された表示手順データＤｓや、表示制御部４４の動作プログラムを記憶する。ＶＲＡＭ４７は、表示制御部４４によって生成される表示用画像データＤｇを記憶する。図柄データ記憶部４８は、表示用画像データＤｇを生成するための各種図柄データＤｐ（大地、富士山、および数字などのデータ）を記憶する。
【００１９】
次に、パチンコシステムＳ１の全体的な動作について、図面を参照して説明する。このパチンコシステムＳ１では、光源ユニット２１に電源が投入されることにより、図１に示すように、光源ランプ２２が発光し、集光レンズ群２３がその光を集光して分光ミラー３１ａに向けてビーム状の投射光Ｌ１を射出する。この際に、放熱ファン２４が始動し、光源ランプ２２によって熱せられた光源ユニット２１内部の空気を外部に放出する。次いで、図５に示すように、分光ミラー３１ａの反射部が、投射光Ｌ１の約１／４をプロジェクタユニット４１ａの変調部４２に向けて反射させ、透過部が、投射光Ｌ１の約３／４を通過させる。続いて、分光ミラー３１ｂの反射部が、分光ミラー３１ａを通過した投射光Ｌ１の約１／３（射出された時点での投射光Ｌ１の約１／４）をパチンコ台１ｂの変調部４２に向けて反射させ、透過部が、分光ミラー３１ａを通過した投射光Ｌ１の約２／３（射出された時点での投射光Ｌ１の約１／２）を通過させる。また、分光ミラー３１ｃの反射部が、分光ミラー３１ｂを通過した投射光Ｌ１の約１／２（射出された時点での投射光Ｌ１の約１／４）をパチンコ台１ｃの変調部４２に向けて反射させ、透過部が、分光ミラー３１ｂを通過した投射光Ｌ１の約１／２（射出された時点での投射光Ｌ１の約１／４）を通過させる。さらに、分光ミラー３１ｄが、分光ミラー３１ｃを通過した投射光Ｌ１（射出された時点での投射光Ｌ１の約１／４）をパチンコ台１ｄの変調部４２に向けて反射させる。これにより、光源ユニット２１によって射出された投射光Ｌ１が分光ミラー３１ａ〜３１ｄによって約１／４ずつ分光されて各パチンコ台１ａ〜１ｄの各変調部４２に向けて反射される。
【００２０】
一方、パチンコ台１に電源が投入された際には、まず、主制御部３が、例えば、図２に示す表示画像Ｇを表示させるためのコマンドを出力し、これに応じて、表示制御部４４が、コマンドで指定された表示手順データＤｓを表示手順データ記憶部４６から読み込む。次に、表示制御部４４は、その表示手順に従って、表示画像Ｇを表示するための表示用画像データＤｇの生成に必要な図柄データＤｐ，Ｄｐ・・を図柄データ記憶部４８から読み込む。次いで、表示制御部４４は、図柄データＤｐ，Ｄｐ・・に対応する図柄をＶＲＡＭ４７の仮想平面上に仮想的に描画することによってＶＲＡＭ４７内に表示用画像データＤｇを生成する。続いて、表示制御部４４は、ＶＲＡＭ４７内の表示用画像データＤｇを変調部４２に出力する。次に、変調部４２が、表示用画像データＤｇに基づいて分光ミラー３１によって反射された投射光Ｌ１を画像投射用の投射光Ｌ２に変調して射出する。続いて、投射レンズ４３が、射出された投射光Ｌ２を拡大して投射ミラー１３に向けて射出し、投射ミラー１３が、投射光Ｌ２をスクリーンフィルム１２に向けて反射する。この際に、投射ミラー１３によって反射された投射光Ｌ２は、フレネルレンズ１４を通過することによって平行光に変換されてスクリーンフィルム１２に投射される。これにより、スクリーンフィルム１２によって投射光Ｌ２が結像されて図２に示す表示画像Ｇが遊技盤１１の盤面に表示される。
【００２１】
このように、この表示装置５およびパチンコシステムＳ１によれば、光源ユニット２１と、光源ユニット２１によって射出された投射光Ｌ１を分光する複数の分光ミラー３１と、分光された投射光Ｌ１を投射光Ｌ２に変調すると共に変調した投射光Ｌ２をスクリーンフィルム１２に投射して画像を表示可能に構成された複数のプロジェクタユニット４１とを備えたことにより、１つの光源ランプ２２で複数のパチンコ台１に画像を表示させることができるため、パチンコシステムＳ１全体として光源ランプ２２の数を少なくすることができる結果、光源ランプ２２によって発生される熱量を全体として減少させることができる。また、各パチンコ台１において光源および放熱装置の個別的な取り付けを不要にできるため、パチンコシステムＳ１を安価に構成することができる。
【００２２】
さらに、パチンコシステムＳ１全体として光源ランプ２２の数を少なくすることができるため、その分だけ光源ランプ２２の交換時間を短縮することができる。また、この表示装置５およびパチンコシステムＳ１によれば、各変調部４２のそれぞれに向けて投射光Ｌ１を反射させる分光ミラー３１ａ〜３１ｄを備えて表示装置５を構成したことにより、投射光Ｌ１の分光手段を簡易に構成できるため、表示装置５を小型化することができる。さらに、この表示装置５およびパチンコシステムＳ１によれば、変調部４２に向けて投射光Ｌ１の一部を反射させる反射部と、投射光Ｌ１の一部を通過させる透過部とを一体化して分光ミラー３１ａ〜３１ｃを構成したことにより、各変調部４２に対してそれぞれ１枚の分光ミラー３１で投射光Ｌ１を分光して反射することができる。
【００２３】
次に、本発明の他の実施の形態に係るスロットマシンシステムＳ２について、図面を参照して説明する。なお、スロットマシンシステムＳ２や後述するピンボールマシンシステムＳ３では、パチンコシステムＳ１と同様にして、基本的に本発明が適用されている。したがって、パチンコシステムＳ１と同じ各構成要素については同一の符号を付して重複する説明を省略する。スロットマシンシステムＳ２は、図６に示すように、並設された例えば４台のスロットマシン５１ａ〜５１ｄ（以下、区別しないときは「スロットマシン５１」ともいう。）と表示装置５とを備えて構成されている。スロットマシン５１は、それぞれ独立して遊技可能なスロットマシンであって、図７に示すように、表示装置５によって投射される表示画像Ｇ５１（例えば、同図に示す賞金金額を示す画像）を遊技盤６１の盤面に表示可能に構成されている。また、スロットマシン５１は、図８に示すように、遊技機構５２を備えて構成されている。遊技機構５２は、遊技盤６１、スクリーンフィルム６２、投射ミラー６３、フレネルレンズ６４およびリール６５を備えている。リール６５は、複数の図柄が描かれた３個の円筒状のリール６５ａ〜６５ｃ（図７参照）を備えて構成されて、図８に示すように、マシン本体における前面の中央部に配設されたガラス板６６の背面側に配設されている。この場合、リール６５ａ〜６５ｃは、ハンドル６７（図７参照）の操作に応じてそれぞれ所定回数だけ回転した後に停止する。
【００２４】
このスロットマシンシステムＳ２では、光源ユニット２１に電源が投入された際には、パチンコシステムＳ１と同様にして、光源ユニット２１が分光ミラー３１ａに向けてビーム状の投射光Ｌ１を射出する。この際に、投射光Ｌ１は、分光ミラー３１ａ〜３１ｄによって約１／４ずつ分光されて、図６に示すように、各スロットマシン５１ａ〜５１ｄの各プロジェクタユニット４１に向けて反射される。一方、スロットマシン５１に電源が投入された際には、主制御部３が図７に示す表示画像Ｇ５１を表示させるためのコマンドを出力し、表示制御部４４が表示用画像データＤｇを変調部４２に出力する。次に、変調部４２が分光ミラー３１によって反射された投射光Ｌ１を表示用画像データＤｇに基づく画像投射用の投射光Ｌ２に変調して射出し、投射レンズ４３が投射光Ｌ２を拡大する。この際に、投射光Ｌ２は、図８に示すように、投射ミラー６３で反射されて、フレネルレンズ６４を通過することによって平行光に変換されてスクリーンフィルム６２に投射される。これにより、図７に示すように、遊技盤６１の盤面に表示画像Ｇ５１が表示される。
【００２５】
このように、このスロットマシンシステムＳ２においても、表示装置５を備えたことにより、１つの光源ランプ２２で複数のスロットマシン５１に画像を表示させることができるため、スロットマシンシステムＳ２全体として光源ランプ２２の数を少なくすることができる結果、光源ランプ２２によって発生される熱量を全体として減少させることができる。また、各スロットマシン５１において光源および放熱装置の個別的な取り付けを不要にできるため、スロットマシンシステムＳ２を安価に構成することができる。
【００２６】
なお、本発明に係る遊技機システムには、上記のパチンコシステムＳ１やスロットマシンシステムＳ２に限定されずピンボールマシンを備えたピンボールマシンシステム等も含まれる。例えば、図９に示すピンボールマシンシステムＳ３は、並設された４台のピンボールマシン７１ａ〜７１ｄ（以下、区別しないときは「ピンボールマシン７１」ともいう。）と表示装置５とを備えて構成されている。ピンボールマシン７１は、それぞれ独立して遊技可能なピンボールマシンであって、図１０に示すように、表示装置５によって投射される表示画像Ｇ７１（例えば、同図に示すタイトル（機種名）を示す画像や得点を示す画像）を遊技盤８１の盤面に表示可能に構成されている。また、ピンボールマシン７１は、図１１に示すように、遊技機構７２を備えて構成されている。遊技機構７２は、各種の役物が取り付けられると共に光透過性樹脂で形成されてマシン本体の上面側に配設された遊技盤８１、遊技盤８１の裏面に貼付されたスクリーンフィルム８２、およびフレネルレンズ８３を備えている。この場合、このピンボールマシン７１では、遊技盤８１と、マシン本体の上面に配設されたガラス板８４との間でボールを移動させることでピンボールが行われる。
【００２７】
この、ピンボールマシンシステムＳ３では、光源ユニット２１に電源が投入された際には、パチンコシステムＳ１と同様にして、図９に示すように、投射光Ｌ１が分光されて各ピンボールマシン７１ａ〜７１ｄの各プロジェクタユニット４１に向けて反射される。一方、ピンボールマシン７１に電源が投入された際には、主制御部３が図１０に示す表示画像Ｇ７１を表示させるためのコマンドを出力し、表示制御部４４が表示用画像データＤｇを変調部４２に出力する。次に、変調部４２が表示用画像データＤｇに基づく画像投射用の投射光Ｌ２を射出し、投射レンズ４３が投射光Ｌ２を拡大する。この際に、投射光Ｌ２は、図１１に示すように、フレネルレンズ８３を通過することによって平行光に変換されてスクリーンフィルム８２に投射される。これにより、図１０に示すように、遊技盤８１の盤面に表示画像Ｇ７１が表示される。このように、このピンボールマシンシステムＳ３においても、表示装置５を備えたことにより、ピンボールマシンシステムＳ３全体として光源ランプ２２の数を少なくすることができる結果、光源ランプ２２によって発生される熱量を全体として減少させることができる。また、各ピンボールマシン７１において光源および放熱装置の個別的な取り付けを不要にできるため、ピンボールマシンシステムＳ３を安価に構成することができる。
【００２８】
また、本発明は、上記した本発明の実施の形態に限定されない。例えば、本発明の実施の形態では、本発明における分光手段として、分光ミラー３１ａ〜３１ｄを備えた表示装置５を例に挙げて説明したが、分光手段の構成はこれに限定されない。例えば、図１２に示すように、各分光ミラー３１ａ〜３１ｄに代えて、投射光Ｌ１の光路を変更可能な例えば４つのプリズムＰａ〜Ｐｄを有する表示装置５Ａを備えたパチンコシステムＳ４を構成することもできる。この場合、プリズムＰａ〜Ｐｄは、投射光Ｌ１の例えば１／４を分光して各プロジェクタユニット４１ａ〜４１ｄに向けて光路を変更可能に構成されている。このパチンコシステムＳ４によれば、分光手段としてプリズムを備えて表示装置５Ａを構成したことにより、投射光Ｌ１をほぼ正確に１／４ずつ分光することができるため、各変調部４２に対して投射光Ｌ１を均等に分光することができる。
【００２９】
また、図１３に示すように、各分光ミラー３１ａ〜３１ｄに代えて、例えば４本のフレキシブルな光ファイバーＦａ〜Ｆｄを有する表示装置５Ｂを備えてパチンコシステムＳ５を構成することもできる。この場合、各光ファイバーＦａ〜Ｆｄの各々の入力端部が、光源ユニット２１の集光レンズ群２３の出力側に固定されている。また、集光レンズ群２３は、集光した投射光Ｌ１を各光ファイバーＦａ〜Ｆｄの各々の入力端部に均等に照射可能に構成されている。したがって、投射光Ｌ１は、各光ファイバーＦａ〜Ｆｄによって例えばこの例では４等分に分光されて各光ファイバーＦａ〜Ｆｄの入力端部から出力端部に案内される。一方、各光ファイバーＦａ〜Ｆｄの各々の出力端部は、分光した投射光Ｌ１を各プロジェクタユニット４１ａ〜４１ｄに案内可能な位置に固定されている。このパチンコシステムＳ５によれば、光ファイバーＦａ〜Ｆｄがフレキシブルなため、任意の位置に配置された各パチンコ台１に対して、分光した投射光Ｌ１を案内することができる。
【００３０】
さらに、本発明の実施の形態では、各プロジェクタユニット４１に対してそれぞれ１枚の分光ミラー３１によって投射光Ｌ１を反射させる表示装置５を例に挙げて説明したが、各プロジェクタユニット４１に対して複数のミラーで投射光Ｌ１を反射させる構成を採用することもできる。また、分光ミラーとしては、固定式に限らず移動機構を備えた可動式分光ミラーを採用することもできる。例えば、図１４に示すように、各プロジェクタユニット４１に対応させて固定ミラー３２ａ〜３２ｄを配置すると共に、所定の時間間隔で角度を切り替えることによって各固定ミラー３２ａ〜３２ｄに向けて投射光Ｌ１を反射可能な可動式ミラー３３を配設して表示装置５Ｃを構成する。この表示装置５Ｃを備えたパチンコシステムＳ６では、可動式ミラー３３が、ちらつきの生じない程度の周期で投射光Ｌ１を各固定ミラー３２ａ〜３２ｄに順次反射させ、各固定ミラー３２ａ〜３２ｄが可動式ミラー３３によって反射された投射光Ｌ１をプロジェクタユニット４１にそれぞれ反射する。これにより、１つの光源ランプ２２を使用して複数のパチンコ台１に画像を表示させることができるため、パチンコシステムＳ１と同様にして光源ランプ２２で発生する熱量を全体として減少させることができる。なお、表示装置５に代えて、表示装置５Ａ〜５Ｃのうちのいずれかを備えたスロットマシンシステムやピンボールマシンシステムを構成することもでき、この構成であっても、パチンコシステムＳ４〜Ｓ６と同様の効果を得ることができる。
【００３１】
さらに、本発明の実施の形態では、光源ユニット２１に１つの光源ランプ２２を備えて構成した例について説明したが、予備用の光源ランプ２２を備えて光源ユニット２１を構成することもできる。この場合、光源ランプ２２が切れた際にランプ切れ検出信号を出力するランプ切れセンサーと、ランプ切れ検出信号に基づいて予備用ランプに切り替える切替手段とを備えて光源ユニット２１を構成することで、遊技中に光源ランプ２２が切れたときであっても予備用の光源ランプ２２に瞬時に交換可能な表示装置、パチンコシステム、スロットマシンシステムおよびピンボールマシンシステムを構成することができる。また、本発明の実施の形態では、４台のパチンコ台１を備えたパチンコシステムＳ１を例に挙げて説明したが、パチンコ台１の台数はこれに限定されず、例えば、２台以上のパチンコ台１と、その台数に応じた分光手段を有する表示装置とを備えてパチンコシステムを構成することができる。同様にして、２台以上のスロットマシン５１と、その台数に応じた分光手段を有する表示装置とを備えたスロットマシンシステムＳ２や、２台以上のピンボールマシン７１と、その台数に応じた分光手段を有する表示装置とを備えたピンボールマシンシステムＳ３を構成することもできる。
【００３２】
さらに、本発明の実施の形態では、変調部４２と投射レンズ４３とを一体化して構成したプロジェクタユニット４１を例に挙げて説明したが、変調部４２と投射レンズ４３とを別体で構成し、変調部４２のみを光源ユニット２１の集光レンズ群２３の近傍に配置することもできる。この場合、分光ミラー３１、プリズムＰａ〜Ｐｄおよび光ファイバーＦａ〜Ｆｄなどによって投射光Ｌ１を分光した後に、分光した投射光Ｌ１を変調部４２によって投射光Ｌ２に変調し、変調した投射光Ｌ２をミラーや光ファイバーなどによって投射ミラー１３の下側に配設した投射レンズ４３に案内させることで、パチンコシステムＳ１、スロットマシンシステムＳ２およびピンボールマシンシステムＳ３と同様な効果を得ることができる。
【図面の簡単な説明】
【図１】本発明の実施の形態に係るパチンコシステムＳ１の概略構成を示す平面図である。
【図２】パチンコ台１の概略構成を示す正面図である。
【図３】主としてパチンコ台１およびプロジェクタユニット４１の構成を示すブロック図である。
【図４】パチンコ台１および表示装置５の概略構成を示す側面断面図である。
【図５】表示装置５における分光ミラー３１ａ〜３１ｄの構成を示す斜視図である。
【図６】他の実施の形態に係るスロットマシンシステムＳ２の概略構成を示す平面図である。
【図７】スロットマシン５１の概略構成を示す正面図である。
【図８】スロットマシン５１および表示装置５の概略構成を示す側面断面図である。
【図９】他の実施の形態に係るピンボールマシンシステムＳ３の概略構成を示す平面図である。
【図１０】ピンボールマシン７１の概略構成を示す正面図である。
【図１１】ピンボールマシン７１および表示装置５の概略構成を示す側面断面図である。
【図１２】他の実施の形態に係るパチンコシステムＳ４の概略構成を示す平面図である。
【図１３】他の実施の形態に係るパチンコシステムＳ５の概略構成を示す平面図である。
【図１４】他の実施の形態に係るパチンコシステムＳ６の概略構成を示す平面図である。
【符号の説明】
１，１ａ〜１ｄ  パチンコ台、５  表示装置、１２，６２，８２  スクリーンフィルム
、２１  光源ユニット、２２  光源ランプ、３１，３１ａ〜３１ｄ  分光ミラー、３２ａ
〜３２ｄ  固定ミラー、３３  可動式ミラー、４１，４１ａ〜４１ｄ  プロジェクタユニ
ット、４２  変調部（変調手段）、５１，５１ａ〜５１ｄ  スロットマシン、７１，７１
ａ〜７１ｄ  ピンボールマシン、Ｆａ〜Ｆｄ  光ファイバー、Ｇ，Ｇ５１，Ｇ７１  表示
画像、Ｌ１，Ｌ２  投射光、Ｐａ〜Ｐｄ  プリズム、Ｓ１，Ｓ４〜Ｓ６  パチンコシステ
ム、Ｓ２  スロットマシンシステム、Ｓ３  ピンボールマシンシステム
【図１】
0003608563.tif 000002
【図２】
0003608563.tif 000003
【図３】
0003608563.tif 000004
【図４】
0003608563.tif 000005
【図５】
0003608563.tif 000006
【図６】
0003608563.tif 000007
【図７】
0003608563.tif 000008
【図８】
0003608563.tif 000009
【図９】
0003608563.tif 000010
【図１０】
0003608563.tif 000011
【図１１】
0003608563.tif 000012
【図１２】
0003608563.tif 000013
【図１３】
0003608563.tif 000014
【図１４】
0003608563.tif 000015